(57)【要約】      （修正有）【課題】操作が容易で、少量の原料から油を圧搾できる搾油機を提供する。【解決手段】搾油機は、上部シリンダ及び下部シリンダを備えるスタンドと、スタンドに取り付けられた油フィルターと、上部シリンダ及び下部シリンダを制御する制御装置とを有する。油フィルターは、フィルタータンクと、フィルタータンクに取り付けられた２つの加圧パネルとを有する。原料は、加圧パネル間に置かれる。上部シリンダは、原料から搾油するために対応する加圧パネル及び原料を押圧する。下部シリンダは、対応する加圧パネル及び廃棄物をフィルタータンクから外へ押し出す。【選択図】図１
0003162808.tif 000002
【実用新案登録請求の範囲】
【請求項１】
スタンドと、該スタンドの支持ブラケットに取り付けられた油フィルターと、前記スタンドの傍に配置された制御装置とを含み、
前記スタンドは、中空のベースと、該ベースの上面にしっかりと取り付けられた前記支持ブラケットと、該支持ブラケットの上部ホルダーに取り付けられた上部シリンダと、前記ベースに取り付けられた下部シリンダとを有し、
前記ベースは、該ベースの上面を貫いて形成された貫通穴を有し、
前記支持ブラケットは、下部ホルダーと、該下部ホルダーの上方に取り付けられた上部ホルダーと、前記下部ホルダーと前記上部ホルダーとの間にしっかりと取り付けられた複数の連接棒と、前記下部ホルダーの少なくとも１つの案内凹所に取り付けられた少なくとも１つの油ガイドであって前記下部ホルダーの側面から外へ突出する油ガイドとを有し、
前記下部ホルダーは、該下部ホルダーを貫いて形成された貫通穴であって前記ベースの貫通穴に整列している貫通穴と、前記下部ホルダーの上面に形成された少なくとも１つの案内凹所であって前記下部ホルダーの側面を貫いた案内凹所とを有し、
前記上部ホルダーは、該上部ホルダーを貫いて形成された貫通穴を有し、
前記油案内ベースは、該油案内ベースを貫いて形成された下部貫通穴であって前記下部ホルダーの貫通穴に整列している貫通穴と、前記油案内ベースの上面に形成された環状溝であって前記油案内ベースの前記下部貫通穴の周囲に形成された環状溝と、該環状溝に設けられかつ傾斜している外側油案内面と、前記油案内ベースの側面に形成された少なくとも１つの油排出口とを有し、
前記フィルタータンクは、該フィルタータンクを貫いて形成された複数の油流出穴と、それぞれが前記フィルタータンクの下部周辺端部に形成されている複数の油が流出するくぼみとを有し、
前記カバーは、該カバーを貫いて形成された上部貫通穴を有し、
前記外側油案内面は、少なくとも１つの低い場所を有し、
前記油排出口は、前記環状溝に連通し、前記外側油案内面の少なくとも１つの低い場所及び前記支持ブラケットの少なくとも１つの油ガイドに対応し、
前記制御装置は、油タンクと、該油タンクを前記上部シリンダと前記下部シリンダとに連通する複数の油パイプと、前記加圧パネルが前記上部シリンダ及び前記下部シリンダによって移動されるように前記油タンクと前記上部シリンダ及び前記下部シリンダとの間の油の流れを制御する油制御弁とを有する、搾油機。
【請求項２】
前記油案内ベースは、該油案内ベースの前記下部貫通穴の周囲に形成された内側油案内面であって、前記下部貫通穴と前記環状溝との間に配置され、前記下部貫通穴から前記油案内ベースの側面まで下るように傾斜している内側油案内面を有する、請求項１に記載の搾油機。
【請求項３】
前記油案内ベースは、前記環状溝及び前記内側油案内面の周囲に形成されかつ前記環状溝と前記内側油案内面との間に形成され、
前記フィルタータンクは、前記油案内ベースの位置決め凹所の周囲に取り付けられ、
前記フィルタータンクの油が流出する各くぼみは、前記内側油案内面と前記位置決め凹所との間の高さの差より高い高さを有する、請求項２に記載の搾油機。
【請求項４】
前記支持ブラケットの前記下部ホルダーは、それぞれが前記下部ホルダーを貫いて形成された複数の留め穴であって前記下部ホルダーの前記貫通穴の周囲に配置された留め穴を有し、
前記支持ブラケットの前記上部ホルダーは、それぞれが前記上部ホルダーを貫いて形成された複数の留め穴であって前記上部ホルダーの前記貫通穴の周囲に配置された留め穴を有し、
前記支持ブラケットの各連接棒は、該連接棒の向かい合った２つの端部からそれぞれが突出する２つのねじと、それぞれが前記ねじの遠位端に形成された２つのねじ穴とを有し、
前記２つのねじは、それぞれが前記上部ホルダー及び前記下部ホルダーの対応する留め穴に通して取り付けられ、
前記支持ブラケットは、それぞれが前記連接棒の前記ねじの周囲にしっかりと取り付けられた複数のスリーブと、複数のボルトとを有し、
各スリーブは、開口端と、閉口端と、前記スリーブの前記閉口端を貫いて形成された皿穴と、前記スリーブの内面に形成された内ねじとを有し、
前記内ねじは、対応する連接棒の対応するねじに留められ、
前記複数のボルトは、それぞれが前記スリーブの皿穴を通して取り付けられ、前記連接棒の前記ねじ穴に留められている、請求項１ないし３のいずれか１項に記載の搾油機。
【請求項５】
前記ベースは、それぞれが該ベースの上面を貫いて形成された複数の位置決め穴であって前記ベースの貫通穴の周囲に配置された位置決め穴を有し、
前記支持ブラケットの前記スリーブは、前記下部ホルダーに配置され、それぞれが前記ベースの前記位置決め穴に取り付けられている、請求項４に記載の搾油機。
【請求項６】
前記スタンドの前記上部シリンダは、前記上部ホルダーの貫通穴を通して下方へ伸縮可能に取り付けられたピストン棒を有し、
前記スタンドの前記下部シリンダは、前記ベース及び前記下部ホルダーの貫通穴を通して上方に伸縮可能に取り付けられたピストン棒を有する、請求項４に記載の搾油機。
【考案の詳細な説明】
【技術分野】
【０００１】
本考案は、搾油機に関し、特に操作が容易で少量の原料から油を圧搾できる搾油機に関する。
【背景技術】
【０００２】
ナッツ、種及び同様の原料から搾油する従来の方法は、前記原料を加熱して潰し、フィルターバッグに詰め、そして前記原料から油を圧搾するために前記フィルターバッグを搾油機に置く。前記フィルターバッグは、油が原料から絞り出されなくなると搾油機から除かれる。
【０００３】
しかし、原料を準備すること（例えば、原料を加熱すること、潰すこと及び詰めること）は、不便であり時間の無駄である。また、従来の搾油機は、大量の原料及び多量の圧搾油で作動する必要がある。前記油の量は一定であり、利用者のニーズに基づいていない。その結果、大量の原料を圧搾することは、時間が掛かるだけでなく、長時間大気に晒され、油の品質を低下させる。
【考案の概要】
【考案が解決しようとする課題】
【０００４】
本考案の目的は、搾油機を提供することにある。
【課題を解決するための手段】
【０００５】
搾油機は、上部シリンダ及び下部シリンダを備えたスタンドと、該スタンドに取り付けられた油フィルターと、前記上部シリンダ及び前記下部シリンダを制御する制御装置とを有する。前記油フィルターは、フィルタータンクと、該フィルタータンクに取り付けられた２つの加圧パネルとを有する。原料は、前記加圧パネル間に置かれる。
【０００６】
前記上部シリンダは、原料から搾油するために対応する加圧パネル及び原料を加圧する。前記下部シリンダは、対応する加圧パネル及び廃棄物を前記フィルタータンクの外に押し出す。
【０００７】
前記搾油機は、大きな場所を取らず、操作が容易で、原料から搾油し、廃棄物を除去する。また、利用者は、適切な量の原料から搾油するとき、利用者のニーズに基づいた新鮮な油を提供される。
【図面の簡単な説明】
【０００８】
【図１】本考案に係る搾油機の斜視図。
【図２】図１の搾油機のベース及び支持ブラケットの分解側面図。
【図３】図１の搾油機の支持ブラケットの拡大側面図
【図４】図１の搾油機の油フィルターの分解斜視図。
【図５】図１の搾油機の拡大斜視図。
【図６】図１の搾油機の油フィルターの油ガイドベースの断面図。
【図７】図１の搾油機の一部を断面で示す拡大側面図であって原料の圧搾状態を示す。
【図８】図１の搾油機の一部を断面で示す拡大側面図であって油フィルターからの原料の除去状態を示す。
【考案を実施するための形態】
【０００９】
図１を参照するに、本考案に係る搾油機は、スタンド１０と、油フィルター２０と、制御装置３０とを含む。
【００１０】
スタンド１０は、ベース１１と、支持ブラケット１２と、上部シリンダ１３と、下部シリンダ１４とを有する。
【００１１】
図２を参照するに、ベース１１は中空で、該ベースは貫通穴及び複数の位置決め穴１１１を有する。前記貫通穴は、前記ベースの上面を貫いて形成されている。位置決め穴１１１は、それぞれがベース１１の上面を貫いて形成され、該ベースの前記貫通穴の周囲に配置されている。
【００１２】
図３を参照するに、支持ブラケット１２がベース１１の上面にしっかりと取り付けられ、前記支持ブラケットは、下部ホルダー１２１と、上部ホルダー１２２と、複数の連接棒１２３と、複数のスリーブ１２４と、複数のボルト１２５と、少なくとも１つの油ガイド１２６とを有する。
【００１３】
下部ホルダー１２１は、貫通穴と、複数の留め穴と、少なくとも１つの案内凹所とを有する。前記貫通穴は、前記下部ホルダーを貫いて形成され、ベース１１の貫通穴に整列している。下部ホルダー１２１の留め穴は、それぞれが該下部ホルダーを貫いて形成され、前記下部ホルダーの貫通穴の周りに配置されている。少なくとも１つの前記案内凹所は、下部ホルダー１２１の上面に形成され、該下部ホルダーの側面を貫いている。上部ホルダー１２２は、下部ホルダー１２１の上方に取り付けられ、前記上部ホルダーは、貫通穴及び複数の留め穴１２２１を有する。上部ホルダー１２２の貫通穴は、該上部ホルダーを貫いて形成されている。留め穴１２２１は、それぞれが上部ホルダー１２２を貫いて形成され、該上部ホルダーの貫通穴の周りに配置されている。連接棒１２３は、下部ホルダー１２１と上部ホルダー１２２との間にしっかりと取り付けられている。各連接棒１２３は、２つのねじ１２３１及び２つのねじ穴１２３２を有する。ねじ１２３１は、連接棒１２３の向かい合った２つの端部からそれぞれが突出し、下部ホルダー１２１及び上部ホルダー１２２の対応する留め穴１２２１にそれぞれが通されて取り付けられている。ねじ穴１２３２は、それぞれがねじ１２３１の遠位端に形成されている。
【００１４】
スリーブ１２４は、それぞれが連接棒１２３のねじ１２３１の周囲にしっかりと取り付けられている。各スリーブ１２４は、開口端と、閉口端と、皿穴１２４１と、内ねじ１２４２とを有する。皿穴１２４１は、スリーブ１２４の閉口端を貫いて形成されている。内ねじ１２４２は、スリーブ１２４の内面に形成され、対応する連接棒１２３の対応するねじ１２３１に留められている。下部ホルダー１２１に配置されたスリーブ１２４は、支持ブラケット１２をベース１１に安定して取り付けられるように、それぞれがベース１１の位置決め穴１１１に取り付けられている。ボルト１２５は、それぞれがスリーブ１２４の皿穴１２４１に通して取り付けられ、連接棒１２３のねじ穴１２３２に留められている。その結果、下部ホルダー１２１及び上部ホルダー１２２と連接棒１２３との間の結合は、安定して確実なだけでなく、整然とし、見て美しい。
【００１５】
少なくとも１つの油ガイド１２６は、下部ホルダー１２１の少なくとも１つの案内凹所に取り付けられ、前記下部ホルダーの側面から外に突出している。
【００１６】
図７を参照するに、上部シリンダ１３は、支持ブラケット１２の上部ホルダー１２２に取り付けられ、前記上部シリンダは、前記上部ホルダーの貫通穴を通して下方へ伸縮可能に取り付けられたピストン棒１３１を有する。
【００１７】
図８を参照するに、下部シリンダ１４は、ベース１１に取り付けられ、前記下部シリンダは、前記ベースの貫通穴及び下部ホルダー１２１を通して上方へ伸縮可能に取り付けられたピストン棒１４１を有する。
【００１８】
図４を参照するに、油フィルター２０は、スタンド１０の支持ブラケット１２に取り付けられ、前記油フィルターは、油ガイドベース２１と、フィルタータンク２２と、カバー２３と、複数の支持棒２４と、２つの加圧パネル２５とを有する。
【００１９】
図５を参照するに、油案内ベース２１は、支持ブラケット１２の下部ホルダー１２１に取り付けられ、前記油案内ベースは、下部貫通穴２１１と、環状溝２１２と、外側油案内面と、少なくとも１つの油排出口２１３と、内側油案内面２１４と、位置決め凹所２１５とを有する。下部貫通穴２１１は、油案内ベース２１を貫いて形成され、下部ホルダー１２１の貫通穴に整列している。
【００２０】
図６を参照するに、環状溝２１２は、油案内ベース２１の上面に形成されかつ前記油案内ベースの下部貫通穴２１１の周囲に形成されている。前記外側油案内面は、環状溝２１２に設けられ、傾斜しておりかつ少なくとも１つの低い場所を有する。少なくとも１つの油排出口２１３は、油案内ベース２１の側面に形成され、環状溝２１２に連通し、前記外側油案内面の少なくとも１つの低い場所及び支持ブラケット１２の少なくとも１つの油ガイド１２６に対応する。その結果、環状溝２１２内の液体は、前記外側油案内面の少なくとも１つの低い場所に向けて流れ、寄せ集まり、そして少なくとも１つの油排出口２１３及び油ガイド１２３を通して流れ出る。
【００２１】
内側油案内面２１４は、油案内ベース２１の下部貫通穴２１１の周囲に形成され、該下部貫通穴と環状溝２１２との間に配置され、前記下部貫通穴から前記油案内ベースの側面へ下るように傾斜している。位置決め凹所２１５は、環状溝２１２及び内側油案内面２１４の周囲に形成されかつ環状溝２１２と内側油案内面２１４との間に形成されている。
【００２２】
フィルタータンク２２は、油案内ベース２１に取り付けられ、該油案内ベースの位置決め凹所２１５の周囲に取り付けられ、複数の油流出穴２２１及び複数の油が流出するくぼみ２２２を有する。油流出穴２２１は、フィルタータンク２２を貫いて形成されている。くぼみ２２２は、それぞれがフィルタータンク２２の下部周辺端部に形成されている。各くぼみ２２２は、内側油案内面２１４と位置決め凹所２１５との間の高さの差より高い高さを有する。その結果、内側油案内面２１４の液体は、フィルタータンク２２のくぼみ２２２を通して流れ、環状溝２１２に流れ込む。
【００２３】
カバー２３は、フィルタータンク２２の上部周辺端部に取り付けられ、前記カバーは、該カバーを貫いて形成された上部貫通穴２３１を有する。
【００２４】
支持棒２４は、油案内ベース２１とカバー２３との間にしっかりと取り付けられている。
【００２５】
加圧パネル２５は、フィルタータンク２２内に移動可能に取り付けられている。茶、種子、ピーナッツ、ごま、ひまわりの種及び同様の油が豊富な原料４０は、加圧パネル２５の間に置かれる。
【００２６】
制御装置３０は、スタンド１０の傍に配置され、前記制御装置は、油タンク３１と、複数の油パイプ３２と、油制御弁３３とを有する。油パイプ３２は、油タンク３１を上部シリンダ１３及び下部シリンダ１４に連通させる。油制御弁３３は、加圧パネル２５が上部シリンダ１３及び下部シリンダ１４のピストン棒１３１、１４１によって移動されるように前記上部シリンダ及び前記下部シリンダの前記ピストン棒を伸び縮みさせるべく、油タンク３１と上部シリンダ１３及び下部シリンダ１４との間の油の流れを制御する。
【００２７】
図７を参照するに、原料４０はフィルターバッグに詰められ、該フィルターバッグはフィルタータンク２２内の加圧パネル２５間に置かれる。上部シリンダ１３のピストン棒１３１は伸び、原料４０から搾油するために対応する加圧パネル２５及び原料４０を高圧で押す。そして、前記油は、フィルタータンク２２の油流出穴２２１を通して該フィルタータンクから外へろ過され、前記フィルタータンクの側面に沿って油案内ベース２１の環状溝２１２まで流れる。油案内ベース２１の内側油案内面２１４は、前記油が油案内ベース２１の下部貫通穴２１１に流れ込むこと及び下部シリンダ１４に損傷を与えることを防止する。
【００２８】
その結果、油案内ベース２１の環状溝２１２に溜まった前記油は、前記油案内ベースの少なくとも１つの油排出口２１３及び支持ブラケット１２の少なくとも１つの油ガイド１２６を通して前記搾油機から外へ流れ、容器に流れ込む。
【００２９】
図８を参照するに、原料４０からそれ以上油が絞り出されないとき、上部シリンダ１３のピストン棒１３１は引き込められる。そして、下部シリンダ１４のピストン棒１４１は、前記フィルターバッグがカバー２３の上部貫通穴２３１から外へ押し出されるまで油フィルター２０の加圧パネル２５及びフィルターバッグ内の廃棄物４１を上方へ押すように伸びる。その結果、前記フィルターバッグは容易に除去される。
【００３０】
そして、下部シリンダ１４のピストン棒１４１は引き込められ、対応する加圧パネル２５は同時に下方に下げられる。原料を入れた前記フィルターバッグは、フィルタータンク２２内に置かれ、搾油するプロセスを再び行う。
【００３１】
前記搾油機は、詳細されているように次の利点を有する。前記搾油機は、大きな場所を取らず、容易に操作され、原料４０から搾油し、廃棄物を除去する。また、利用者は、適切な量の原料から搾油するとき、利用者のニーズに基づいた新鮮な油を提供される。
【符号の説明】
【００３２】
１０  スタンド
１１  ベース
１２  支持ブラケット
１３  上部シリンダ
１４  下部シリンダ
２０  油フィルター
２１  油案内ベース
２２  フィルタータンク
２３  カバー
２４  支持棒
２５  加圧パネル
３０  制御装置
３１  油タンク
３２  油パイプ
３３  油制御弁
１２１  下部ホルダー
１２２  上部ホルダー
１２３  連接棒
１２４  スリーブ
１２５  ボルト
１２６  油ガイド
１３１、１４１  ピストン棒
２１１  下部貫通穴
２１２  環状溝
２１３  油排出口
２１４  内側油案内面
２１５  位置決め凹所
２２１  油流出穴
２２２  油が流出するくぼみ
２３１  上部貫通穴
１２２１  留め穴
１２３１  ねじ
１２３２  ねじ穴
１２４１  皿穴
１２４２  内ねじ
【図１】
0003162808.tif 000003
【図２】
0003162808.tif 000004
【図３】
0003162808.tif 000005
【図４】
0003162808.tif 000006
【図５】
0003162808.tif 000007
【図６】
0003162808.tif 000008
【図７】
0003162808.tif 000009
【図８】
0003162808.tif 000010